(57)【要約】【課題】形態変化のバリエーションを増大させ、遊びの幅を広げる。【解決手段】表面に複数の回転体６が回転自在に設けられ、内部には電動モータ７と回転体６に電動モータ７の回転を伝達する伝達機構を備えたメインボックスａと、メインボックスａと組み合わせて回転体６に磁力により吸着されることにより複数の形態を作り出すに足る程度の数の付属部材１ａ〜３ａ、１ｂ〜３ｂとを備え記メインボックスａには回転体６の周囲に係合部１１が形成されているとともに、付属部材には、係合部１１に係合可能な係合受け部４８が設けられている。【選択図】図１
2012120613.tif 000002
【特許請求の範囲】
【請求項１】
表面に複数の回転体が回転自在に設けられ、内部には電動モータと上記回転体に電動モータの回転を伝達する伝達機構を備えたメインボックスと、メインボックスと組み合わせて上記回転体に磁力により吸着されることにより複数の形態を作り出すに足る程度の数の付属部材とを備え、上記メインボックスには上記回転体の周囲に係合部が形成されているとともに、上記付属部材には、上記係合部に係合可能な係合受け部が設けられていることを特徴とする組合せ作動玩具。
【請求項２】
上記付属部材は、上記係合部に係合可能な付属部材と上記係合部に係合しない付属部材とから構成されていることを特徴とする、請求項１に記載の組合せ作動玩具。
【請求項３】
上記回転体には永久磁石が取り付けられ、上記付属部材には回転体の永久磁石に吸着可能な磁着体が取り付けられていることを特徴とする、請求項１又は２に記載の組合せ作動玩具。
【請求項４】
上記メインボックスには、上記電動モータを作動させるスイッチ用付属部材を着脱可能に設け、スイッチ用付属部材を装着したときは、磁力による吸着作用によって上記電動モータ７のスイッチをオン作動させるようにしたことを特徴とする、請求項１〜３のいずれかに記載の組合せ作動玩具。
【請求項５】
上記付属部材のうち上記メインボックスの係合部に係合可能な付属部材には、上記回転体に磁力により吸着されるとともに上記回転体の回転に連動して作動する作動部材が取り付けられていることを特徴とする、請求項１〜４のいずれかに記載の組合せ作動玩具。
【請求項６】
上記メインボックスに設けられた係合部は、上記回転体の周囲に形成されていることを特徴とする、請求項１〜５のいずれかに記載の組合せ作動玩具。
【請求項７】
上記メインボックスの回転体の周囲には上記付属部材の装着部が形成され、上記付属部材は上記装着部に嵌り合うように装着されることを特徴とする、請求項１〜６のいずれかに記載の組合せ作動玩具。
【発明の詳細な説明】
【技術分野】
【０００１】
本発明は動力源を有するメインボックスの所定位置に複数の付属部材を磁力吸着させ、メインボックスと選択された付属部材との組合せにより、一定の形状の物体を作り出すとともに、メインボックスから付属部材に動力を伝達させて遊ぶ組合せ作動玩具に関する。
【背景技術】
【０００２】
例えば、自動車玩具には、普通の乗用車、トラック、バス、救急車、消防車、パトカー、建設車両等、種々あるが、これらを種類別に買い揃えるのはたいへんである。
【０００３】
そこで、自動車玩具を、これらの種類に共通のベースと種類別に異なる付属部材とに分け、共通のメインボックスに対して車の種類に応じた付属部材を選択して着脱することによって、いろいろな種類の自動車を組み合わせることが考えられる。さらに、この考え方を発展させ、メインボックスに動力源を搭載させ、この動力を付属部材に伝達すれば、全体の形態を変えたり、付属部材を回転させたりすることができる。
【０００４】
このような思想に基づいて特許文献1に示す組合せ作動玩具が提案された。これは、メインボックスの表面に回転体が設けられ、この回転体にいろいろな付属部材を選択的に取り付けることにより、全体の形態を変化させるとともに、メインボックスの動力を付属部材に伝達して作動させるものである。
【先行技術文献】
【特許文献】
【０００５】
【特許文献１】特公平３−３５９５３号公報
【発明の概要】
【発明が解決しようとする課題】
【０００６】
しかしながら、上記玩具では、メインボックスに磁力で吸着させた付属部材が回転してしまうので、組み合わせによる形態が限定されてしまう。つまり、メインボックスに対して付け替えられる付属部材は、例えば車輪、ドリル、回転灯などのように、全て回転することが想定されている部材に限定される。そのため、全体的な形態の変化が単調とならざるを得なかった。
【０００７】
本発明は上記問題点を解消し、特に形態変化のバリエーションが増大し、遊びの幅を広げることができる組合せ作動玩具を提供することをその課題とする。
【課題を解決するための手段】
【０００８】
前記課題を解決するため、請求項１に係る発明は、表面に複数の回転体が回転自在に設けられ、内部には電動モータと上記回転体に電動モータの回転を伝達する伝達機構を備えたメインボックスと、メインボックスと組み合わせて上記回転体に磁力により吸着されることにより複数の形態を作り出すに足る程度の数の付属部材とを備え、上記メインボックスには上記回転体の周囲に係合部が形成されているとともに、上記付属部材には、上記係合部に係合可能な係合受け部が設けられていることを特徴とする。
【０００９】
請求項２に係る発明は、請求項１において、上記付属部材は、上記係合部に係合可能な付属部材と上記係合部に係合しない付属部材とから構成されていることを特徴とする。
【００１０】
請求項３に係る発明は、請求項１又は２において、上記回転体には永久磁石が取り付けられ、上記付属部材には回転体の永久磁石に吸着可能な磁着体が取り付けられていることを特徴とする、請求項１又は２に記載の組合せ作動玩具。
【００１１】
請求項４に係る発明は、請求項１〜３のいずれかにおいて、上記メインボックスには、上記電動モータを作動させるスイッチ用付属部材を着脱可能に設け、スイッチ用付属部材を装着したときは、磁力による吸着作用によって上記電動モータのスイッチをオン作動させるようにしたことを特徴とする。
【００１２】
請求項５に係る発明は、１〜４のいずれかにおいて、上記付属部材のうち上記メインボックスの係合部に係合可能な付属部材には、上記回転体に磁力により吸着されるとともに上記回転体の回転に連動して作動する作動部材が取り付けられていることを特徴とする。
【００１３】
請求項６に係る発明は、１〜５のいずれかにおいて、上記メインボックスに設けられた係合部は、上記回転体の周囲に形成されていることを特徴とする。
【００１４】
請求項７に係る発明は、１〜６のいずれかにおいて、上記メインボックスの回転体の周囲には上記付属部材の装着部が形成され、上記付属部材は上記装着部に嵌り合うように装着されることを特徴とする。
【発明の効果】
【００１５】
請求項１に係る発明によれば、共通のメインボックスに対して複数の付属部材を適宜選択して組合せ、メインボックスに磁力で吸着させることによりいろいろな形態を作りだすことができる。しかも、メインボックスの電動モータの回転力を伝達機構を介して付属部材に伝達させ、その係合部に係合する付属部材は、それ自体は回転しないので、作り出そうとする形態の一部を構成することができるとともに、上記回転力を利用して付属部材の一部を作動させることができる。
【００１６】
また、付属部材はメインボックスに対して磁力による吸引力で吸着されるだけであるから、簡単に着脱させることができ、メインボックスに対する付属部材の組合せを代え、別の付属部材を選択して組合せることで容易に他の形態を作り出し、別の運動を行わせることができる。
【００１７】
要するに、電動モータやその回転伝達機構を装備したメインボックスは、構造が複雑で高価であるが、これを共通の部材とし、構造が簡単な付属部材は多くの種類を準備しておくことで、いろいろな形態を作り出し、作動させることができる。したがって、形態変化のバリエーションを増大させ、遊びの幅を広げることができる。
【００１８】
請求項２に係る発明によれば、メインボックスの電動モータの回転力を伝達機構を介して付属部材に伝達させ、その係合部に係合しない付属部材は、回転体の回転に連動して回転するが、係合する付属部材はそれ自体は回転しないので、作り出そうとする形態の一部を構成することができる。このように、メインボックスの回転体に対して回転させるか、させないかを選択することができる。
【００１９】
請求項３に係る発明によれば、回転体には永久磁石が取り付けられるが、付属部材には回転体の永久磁石に吸着可能な磁着体、例えば鉄板を取り付ければよいので、製造コストを低く抑えることができる。
【００２０】
請求項４に係る発明によれば、メインボックスには、電動モータを作動させるスイッチ用付属部材を着脱可能に設け、スイッチ用付属部材を装着したときは、磁力による吸着作用によって電動モータのスイッチをオン作動させるようにしたから、スイッチ用付属部材をスイッチとするとともに、組合せ作動玩具と直接又は間接に関係する人、動物、その他の物体の意匠を施して組み合わせの対象にすることができる。
【００２１】
請求項５に係る発明によれば、付属部材のうちメインボックスの係合部に係合可能な付属部材には、回転体の永久磁石に吸着可能な磁着体を備えた作動部材が取り付けられているので、付属部材の本体自体は回動しないが、その一部のみを作動させることができる。
【００２２】
作動は、回転運動だけではない。付属部材に運動変換機構を設けることにより、メインボックスの回転板の回転を利用してこれを直線運動に変換したり揺動運動に変更することができる。したがって、遊びの幅を格段に増大させることができる。
【００２３】
請求項６に係る発明によれば、メインボックスに設けられた係合部は、回転体の周囲に形成された周縁部に形成されているので、小さな付属部材であってもメインボックスに係合させることができる。
【００２４】
請求項７に係る発明によれば、メインボックスの回転体の周囲には上記付属部材の装着部が形成され、付属部材は上記装着部に嵌り合うように装着されるので、付属部材をメインボックスに取り付ける場合に位置決めを容易に行うことができる。
【図面の簡単な説明】
【００２５】
【図１】本発明に係る組合せ作動玩具の組合せ部品の斜視図
【図２】上記部品を組み合わせて作り上げたパトカーの斜視図
【図３】メインボックスの分解斜視図
【図４】（ａ）はメインボックスの内部の平面図、（ｂ）は（ａ）のＸ−Ｘ線上の断面図
【図５】第１の付属部材の分解斜視図
【図６】図２の組合せ作動玩具の縦断面図
【図７】図２の組合せ作動玩具の分解斜視図
【図８】第２の付属部材の断面図
【図９】第３の付属部材の分解斜視図
【図１０】図１の他の部品を組合せる場合の部品の斜視図
【図１１】上記部品を組み合わせて作り上げたブルドーザの斜視図
【発明を実施するための形態】
【００２６】
図１において符号Ａは本発明に係る組合せ作動玩具で、この組合せ作動玩具Ａは、共通のメインボックスａと第１の付属部材１ａ、１ｂと第２の付属部材２ａ、２ｂと第３の付属部材３ａ、３ｂとスイッチ用付属部材４ａ、４ｂとから構成されている。メインボックスａは共通であるが、第１〜第３の付属部材とスイッチ用付属部材はそれぞれ２種類ずつ設けられ、メインボックスａに対して各付属部材を選択して組み合わせることにより、パトカー又はブルドーザの形態となるとともに、走行したり一部が回転したりする等の作動をすることができるように設定されている。
【００２７】
そこで、図２に示されるように、車体を構成するメインボックスａと、車体前部を構成する第１の付属部材１ａと、車輪を構成する第２の付属部材２ａと、車体後部を構成する第３の付属部材３ａと、運転手を模したスイッチ用付属部材４ａとを選択してメインボックスａと組合せることによりパトカーの形態に組み立てる場合について説明する。
【００２８】
メインボックスａは、図３、図４（ａ）（ｂ）に示されるように、ボックス本体５ａと上蓋５ｂとを合わせた直方体状のボックス５の表面に複数の回転体６を回転自在に設け、上記ボックス５の内部には電動モータ７と上記回転体６に電動モータ７の回転を伝達する伝達機構を設けたものである。上蓋５ｂとボックス本体５ａとの合せ部には半円形の凹部８ａ、８ｂが形成され、ボックス本体５ａと上蓋５ｂとを結合させることにより円孔が形成されるようになっている。そして、各円孔の内側には略円形の縁材が嵌めこまれて円形周縁部１０を構成している。また、円形周縁部１０の左右には係合溝（係合部）１１が形成されている。同様に、上蓋５ｂの上面部の後部にも円孔が形成され、その円形周縁部１０の左右にも凹溝（係合部）１１が形成されている。上蓋５ｂの前部には円形凹部１２が形成されている。このようにして、メインボックスａには付属部材の装着部として、図１に示されるように、ボックス５の前部中央部に１個の円孔による前部装着部１３が、両側部の前後に各２個の円孔による側部装着部１４、１４が設けられ、上面の後部には１個の円孔による上部装着部１５が設けられ、上面前部にはスイッチ用装着部１６が設けられている。これらは全て同径に形成されている。
【００２９】
装着部１３〜１５の大きさは同じで、その内側には円形の回転体６が回転自在に配置され、外部に露出している。すなわち、前部装着部１３には前部回転体６が、左右両側部装着部１４、１４にはそれぞれ前後に各1対の側部回転体６が、上部装着部１５には上部回転体６がそれぞれ設けられている。そして、図４（ａ）（ｂ）に示されるように、前部回転体６はボックス内部の第１の回転軸２１の前端部に、前後各1対の側部回転体６は第２の回転軸２２と第３の回転軸２３の両端に、上部回転体６は第４の回転軸２４の上端部にそれぞれ固定されている。また、各回転体６の周囲には円形周縁部１０が設けられている。
【００３０】
なお、回転体６は図３及び図４（ｂ）に示されるように、内外挟持板６ａ、６ｂとれこれらの間に挟持された永久磁石１９とから構成されている。
【００３１】
次に、メインボックスａの内側には電動モータ７に電力を供給する蓄電池１７が配置されている。蓄電池１７と電動モータ７とを接続する回路には、この回路をオンオフするマイクロスイッチ１８が設けられている。
【００３２】
図４（ａ）（ｂ）に示されるように、電動モータ７の出力軸には歯車２５が固定され、この歯車２５は第１〜第５の中間歯車２６〜３０に噛合連結している。第４の中間歯車２９の下部にはこれより小径の第５の中間歯車３２ａとこれと一体の傘歯車３２ｂとが同軸上に固定され、この傘歯車３２ｂは別の傘歯車３３に噛合している。この傘歯車３３の回転軸３４の端部には歯車３５が固定され、該歯車３５はさらにその下の第１の駆動歯車（平歯車）３６ａに噛合している。第１の駆動歯車３６ａは傘歯車３６ｂと一体に形成され、第１の回転軸２１に固定されている。ボックス前部の左右に設けられた第２の回転軸２２の中間部には第２の駆動歯車（傘歯車）３７が固定され、第１の駆動歯車３６ａと一体の傘歯車３６ｂと噛合している。また、第４の中間歯車２９は第５の中間歯車３０を介して第４の回転軸２４の駆動歯車４０に噛合している。さらに、第４の回転軸２４の下端には傘歯車４１が固定され、該傘歯車４１はボックス後部の第３の回転軸２３の中間の駆動歯車（傘歯車）３９（第２の駆動歯車３７と同様に設けられている）に噛合している。
【００３３】
したがって、電動モータ７が回転すると、その回転は第１〜第４の中間歯車２６〜２９、第５の中間歯車３２ａ、傘歯車３２ｂ、３３、歯車３５、３６ａ等を介して第１の回転軸２１を回転させるので、前部装着部１３の回転体６が回転する。また、第１の回転軸２１の回転は傘歯車３７を介して第２の回転軸２２を回転させるので、前部の側部装着部１４、１４の回転体６が回転する。さらに、第５の中間歯車３０は同時に第６の中間歯車３８を介して第４の回転軸２４を回転させるので、上部装着部１５の回転体６が回転する。同様に、第４の回転軸２４の回転は第３の回転軸２３に伝達され、後部の側部装着部１４、１４の回転体６が回転する。このように、電動モータ７が回転すると、その回転は歯車による伝達機構を介して全ての装着部の回転体６に伝達され、これらの回転体６はほぼ同時に回転する。
【００３４】
また、図３に示されるように、上蓋の前部の円形凹部１２の裏側下部にはスイッチ押し部材４２が配置されている。スイッチ押し部材４２は中間部の支軸４３を中心にシーソー運動するように設けられ、一端４４はモータ回路のマイクロスイッチ１８の接点に対して押し離しできるように配置され、他端には永久磁石１９が固定され、上蓋５ｂの前部の円形凹部１２の裏側に配置されている。スイッチ押し部材４２は、通常は接点から離れるように傾いている。
【００３５】
次に、図５〜図７に示されるように、第１の付属部材１ａは車体前部を構成するもので、前部本体４５の前面左右にヘッドライト部４６が設けられている。前部本体４５の背面板３１の中央には円孔４９が形成され、円孔４９の縁部の左右には後方に突出する係合突起（係合受け部）４８が形成されている。また、円孔４９の内側には皿状体５０が回転自在に配置され、皿状体５０の内部には、磁着体として永久磁石５１ａ（円形でなくてもよい）が配置されている。鉄製円板５１は皿状体５０と中央歯車５２との間に挟持固定されている。中央歯車５２の中央には軸５３が突出し、軸５３は前部本体４５の内部に固定された固定板５４の軸受孔５５に回転自在でかつ抜け出し不可能に支持されている。これにより、皿状体５０と円板５１と中央歯車５２とは一体に回転するようになっている。また、皿状体５０の一部は背面板４６の外方に突出し、これにより円形凸部４７が形成されている。この円形凸部４７は、メインボックスａの装着部に嵌り合う大きさに形成されている。
【００３６】
固定板５４には中央歯車５２のほか、これに噛合する左右の歯車５６、５６が回転自在に支持され、左右の歯車５６、５６の回転軸５７、５７の前端はヘッドライト部４６の背面に固定されている。ヘッドライト部４６は眼球形状に形成され、前部本体４５の内部に配置され、その左右の穴５８から外部に露出している。ヘッドライト部４６の前面の偏心位置には黒丸５９が表示されている。
【００３７】
したがって、皿状体５０と鉄製円板５１と中央歯車５２とがともに回転すると、その回転は左右の歯車５６、５６に伝達され、左右の歯車５６、５６が回転すると、左右のヘッドライト部４６が同方向に回転し、回転に伴って黒丸５９が円運動をする。
【００３８】
なお、皿状体５０の内部の永久磁石５１ａに代えて鉄製の板を使用してもよい。磁石を使うかどうかは、第１の付属部材１ａが前部装着部１３の永久磁石１９の磁力によって十分に保持されるほど強く吸着されるかどうかを基準にすればよい。
【００３９】
次に、図８に示されるように、車輪を構成する第２の付属部材２ａは、背面側が開口した車輪本体６０と円形の背面板６１と鉄製円板５１とからなり、円板５１は車輪本体６０の中央部の内側に嵌合し、背面板６１との間に挟持されている。背面板６１の中央部分には外方に突出する円形凸部４７が形成されている。円形凸部４７は、メインボックスａの装着部の円形周縁部１０に嵌り合う大きさに形成されている。
【００４０】
さらに、図６及び図９に示されるように、第３の付属部材３ａは車体後部を構成するもので、後部本体６２の上部に回転灯（パトライト）６３を回転自在に設けたもので、後部本体６２は後部が起立した方形の部材で、内部には空間が形成され、その下部は開口して背面板６４が固定されている。背面板６４の中央には円孔６５が形成され、円孔６５の縁部の左右には後方に突出する係合突起（係合受け部）４８が形成されている。また、円孔６５の内側には円環状の皿状体５０が回転自在に配置され、皿状体５０の内部には、磁着体として鉄製円板５１が配置され、円板５１は皿状体５０と固定板６６との間に挟持されている。そして、皿状体５０の一部は背面板６４の円孔６５から外方に突出して円形凸部４７が形成されている。この円形凸部４７は、メインボックスａの装着部の円形周縁部１０に嵌り合う大きさに形成されている。
【００４１】
回転灯６３は、上端に星形の装飾が設けられている軸状体６７の両側に固定され、軸状体６７の下部周囲には環状突部６８が形成され、その下部には小径軸６９が形成されている。小径軸６９は円孔６５を貫通し、固定板６６の上方に突出する短筒７０に嵌合して一体的に結合している。なお、軸状体６７の環状突部６８は円孔６５の縁部に係合し、軸状体６７は後部本体６２の上部に回転自在に保持されている。したがって、皿状体５０と円板５１とが回転すると、軸状体６７も回転するので、それに伴い回転灯６３が回転運動をする。
【００４２】
第１〜第３の付属部材３ａにおいて、背面板の円孔４９、６５、皿状体５０、円板５１等の大きさは同じである。
【００４３】
スイッチ用付属部材４ａは、図６に示されるように、運転手を模した形状で、底部は円形で、ボックスの前部の円形凹部１２に嵌合する大きさに形成されている。スイッチ用付属部材４ａの底部には鉄板、磁石等の磁着体５１が設けられている。したがって、スイッチ用付属部材４ａを円形凹部１２に嵌合させると、スイッチ押し部材４２の永久磁石１９との吸引作用により、スイッチ押し部材４２を揺動させるとともに、吸引力によって円形凹部１２に吸着固定される。
【００４４】
なお、ボックスの円形凹部１２の左右に係合溝１１、スイッチ用付属部材４ａの底部には係合突起４８を形成し、両者が係合するように構成すれば、正確な位置決めができ、玩具が動作中もスイッチ用付属部材４ａが円形凹部１２内で回るようなことがない。
【００４５】
上述の構成において、第１の付属部材１ａをメインボックスａの前部装着部１３に嵌合させると、メインボックスａの前部装着部１３の永久磁石１９と第１の付属部材１ａの鉄製円板５１とが磁力によって吸着されて第１の付属部材１ａは前部装着部１３の回転板に取り外し可能に固定される。このとき、第１の付属部材１ａの係合突起４８を前部装着部１３の係合溝１１に係合させる。同様にして、第２の付属部材２ａをメインボックスａの側部装着部１４、１４に、第３の付属部材３ａを上部装着部１５に磁力によって吸着させる。このとき、それぞれの係合突起４８を前部装着部１３の係合溝１１に係合させる。さらに、スイッチ用付属部材４ａをボックス前部の円形凹部１２に嵌合させる。これにより、図２に示されるように、全体がパトカーの形態となるとともに、スイッチ用付属部材４ａの底部磁着体７１が円形凹部１２の内側のスイッチ押し部材４２を揺動させ、電動モータ７の回路の接点が閉じられるので、電動モータ７が回転し、その回転力は伝達機構を介して各装着部の回転体６を回転させる。これに伴い、車輪を構成する第２の付属部材２ａは回転するので、組合せ作動玩具Ａは走行する。また、第１の付属部材１ａは、前部本体４５はメインボックスａと係合しているので回転できないが、皿状体５０と鉄製円板５１と中央歯車５２とが回転し、その回転は左右の歯車５６に伝達され、左右のヘッドライト部４６が同方向に回転し、回転に伴って黒丸が旋回運動をする。前部本体４５はやや擬人化されているので、ヘッドライト部４６は目が廻っているように見える。同様に、第３の付属部材３ａにあっては、皿状体５０と鉄製円板５１が回転すると、軸状体６７も回転するので、それに伴い回転灯６３が回転運動をする。このように、組合せ作動玩具Ａは、メインボックスａに選択した付属部材を磁着させるだけで、パトカーの形態となり、ヘッドライト部４６が回転し、回転灯６３が回転しながら走行運動するという複雑な運動をする。
【００４６】
次に、第１〜第３の付属部材１ａ〜３ａとスイッチ用付属部材４ａに別のものを選択してメインボックスａと組み合せることによりブルドーザの形態にする場合の実施形態を、図１０及び図１１に基づいて説明する。
【００４７】
この場合は、ブレードを構成する第１の付属部材１ｂとキャタピラを構成する第２の付属部材２ｂと、機関部を構成する第３の付属部材３ｂと、運転席を構成するスイッチ用付属部材４ｂを選択すればよい。
【００４８】
ブレードを構成する第１の付属部材１ｂにはブレード支持板７５が設けられ、ブレード支持部材７５の背面に、図示しないが、車体前部を構成する第１の付属部材１ａと同様に、ブレード支持部材７５の背面中央には円形凸部が形成され、円孔の縁部の左右には後方に突出する係合突起４８が形成され、円孔の内側には皿状体５０と鉄製円板５１が配置固定されている。
【００４９】
第２の付属部材２ｂは、上述の前後の駆動輪を構成する付属部材７６、７６と駆動輪７６に掛け渡したキャタピラ７７とから構成され、前後の駆動輪が回転することによりキャタピラも回動するようになっている。
【００５０】
第３の付属部材３ｂは機関部を構成するもので、上方には排煙筒が突出されている。
【００５１】
なお、第１の付属部材１ｂのブレード支持部材７５の背面、第２の付属部材１ｂの背面及び第３の付属部材３ｂの底部には、図示しないが、上述の付属部材と同様に、円形凸部４７が形成され、円形凸部４７の内部には磁着体が取り付けられている。係合突起も同様である。
【００５２】
スイッチ用付属部材４ｂは運転席を構成するもので、底部には前述のものと同様に磁着体が設けられている。
【００５３】
上述の実施形態によれば、第１〜第３の付属部材１ｂ〜３ｂを上述の要領でメインボックスａの前部、側部及び上部装着部に磁力によって吸着させ、第１及び第３の付属部材３ｂの係合突起を前部及び上部装着部１３、１５の係合溝１１に係合させる。さらに、スイッチ用付属部材４ｂをボックス前部の円形凹部１２に嵌合させる。これにより、図１１に示されるように、全体がブルドーザの形態を形作ることができるとともに、キャタピラが回転して直進運動する。
【００５４】
上述のように、共通のメインボックスに対して複数の付属部材を適宜選択して組合せ、メインボックスに磁力で吸着させることによりいろいろな形態を作り出すことができる。しかも、メインボックスの電動モータの回転力を伝達機構を介して付属部材に伝達させ、その係合部と係合受け部に係合しない付属部材は、回転体の回転に連動して回転するが、係合する付属部材はそれ自体は回転しないので、作り出そうとする形態の一部を構成することができるとともに、上記回転力を利用して付属部材の一部を作動させることができる。このように、メインボックスの回転体に対して回転させるか、させないかを選択することができる。
【００５５】
要するに、電動モータやその回転伝達機構を装備したメインボックスは、構造が複雑で高価であるが、これを共通の部材とし、構造が簡単な付属部材は多くの種類を準備しておくことで、いろいろな形態を作り出し、作動させることができる。しかも、作動は、回転運動だけではない。付属部材に運動変換機構を設けることにより、メインボックスａの回転板の回転を利用してこれを直線運動に変換したり揺動運動に変更することができる。したがって、形態変化のバリエーションを増大させ、遊びの幅を広げることができる。
【００５６】
また、メインボックスの装着部には永久磁石が取り付けられるが、付属部材には永久磁石に吸着可能な磁着体、例えば鉄製円板を取り付ければよいので、製造コストを低く抑えることができる。
【００５７】
さらに、メインボックスには、電動モータを作動させるスイッチ用付属部材を着脱可能に設け、スイッチ用付属部材を装着したときは、磁力による吸着作用によって電動モータのスイッチをオン作動させるようにしたから、スイッチ用付属部材を見掛け上のスイッチとするとともに、組合せ作動玩具と直接又は間接に関係する人、動物、その他の物体の意匠を施して組み合わせの対象にすることができる。
【００５８】
なお、スイッチ用付属部材で直接にマイクロスイッチを押すように構成してもよい。
【００５９】
また、メインボックスに設けられた係合部は、上記回転体の周囲に形成された周縁部に形成されているので、小さな付属部材であっても係合させることができる。
【００６０】
さらに、メインボックスの回転体の周囲には付属部材の装着部が形成され、付属部材は上記装着部に嵌り合うように装着されるので、付属部材をメインボックスに取り付ける場合に容易に位置決めを行うことができる。
【００６１】
また、装着部の数や位置は限定されない。メインボックスの形状も直方体に限定されない。装着部の形状も円形に限定されない。方形等であってもよい。方形にすれば、ここに嵌合する全ての付属部材の本体は回転しないが、その一部を作動部として作動させることができる。
【００６２】
付属部材は２種類以上備えているのが好ましいが、付属部材に共通のものがあってもよい。付属部材の作動は回転運動に限定されない。上下運動などをするように構成してもよい。
【００６３】
係合部と係合受け部は互いに係合すればよいのであり、係合部を係合突起４８とし、係合溝１１を係合受け部としてもよい。
【００６４】
ところで、本発明は、動力源を有する車体を構成するメインボックスの所定位置に複数の付属部材を磁力吸着させ、メインボックスと付属部材との組合せにより、一定の形状の物体を構成するとともに、メインボックスａから付属部材に動力を伝達させて遊ぶものである。したがって、本発明の実施形態はパトカーとブルドーザにのみ限定されるわけではない。付属部材の種類を増加させることにより、その組み合わせるにより、バス、トラック、消防車等の自動車の形態にも変化させることができる。さらに、自動車に限定されない。例えば、遊園地、店舗、家、キッチン等に適用することもできる。付属部材の作動も、遊園地であれば、遊具を回転したり上下動したりさせることができ、店舗や店であれば、窓、時計等を作動させることができ、キッチンであれば、冷蔵庫の蓋、食洗機、電子レンジ内の皿等を作動させることができる。
【符号の説明】
【００６５】
Ａ  組合せ作動玩具
ａ  メインボックス
１ａ、１ｂ  第１の付属部材
２ａ、２ｂ  第２の付属部材
３ａ、３ｂ  第３の付属部材
４ａ、４ｂ  スイッチ用付属部材
６  回転体
７  電動モータ
１１  係合溝（係合部）
１３  前部装着部
１４  側部装着部
１５  上部装着部
１９  永久磁石
４７  円形凸部
４８  係合突起（係合受け部）
【図１】
2012120613.tif 000003
【図２】
2012120613.tif 000004
【図３】
2012120613.tif 000005
【図４】
2012120613.tif 000006
【図５】
2012120613.tif 000007
【図６】
2012120613.tif 000008
【図７】
2012120613.tif 000009
【図８】
2012120613.tif 000010
【図９】
2012120613.tif 000011
【図１０】
2012120613.tif 000012
【図１１】
2012120613.tif 000013